(57)【要約】【課題】ＥＷＦ機能を用いてデータ保護を行いつつも、補助記憶装置内のデータに対して変更を行う際、情報処理装置の再起動回数を減らし、ユーザの利便性を向上させる。【解決手段】本発明に係る情報処理装置では、ＥＷＦ機能を有しＥＷＦ機能の無効化及び有効化の設定時に再起動を要する情報処理装置であって、ＥＷＦオーバーレイを含む主記憶装置と、ＥＷＦ機能により保護されＯＳを含む各種データを記憶した第１補助記憶装置と、同一の各種データを記憶した第２補助記憶装置と、起動に使用するＯＳが含まれる補助記憶装置が規定された起動設定情報に規定された補助記憶装置のＯＳを使用して当該情報処理装置を起動する起動手段と、第１補助記憶装置のＯＳを使用して起動されたとき、ＥＷＦオーバーレイ及び第２補助記憶装置に対しデータを記憶させるとともに、起動設定情報に対して第２補助記憶装置を規定するデータ記憶手段とを有する。【選択図】図４
2013105338.tif 000002
【特許請求の範囲】
【請求項１】
ＥＷＦ機能を有し、ＥＷＦ機能の無効化及び有効化の設定時に再起動を要する情報処理装置であって、
ＥＷＦオーバーレイを含む主記憶装置と、
ＥＷＦ機能により保護され、ＯＳを含む各種データを記憶した第１補助記憶装置と、
前記各種データと同一の各種データを記憶した第２補助記憶装置と、
起動に使用するＯＳが含まれる補助記憶装置が規定された起動設定情報を有し、該起動設定情報に規定された補助記憶装置のＯＳを使用して当該情報処理装置を起動する起動手段と、
前記第１補助記憶装置のＯＳを使用して当該情報処理装置が起動されたとき、前記第１補助記憶装置に対しデータの記憶指示を受けると、前記ＥＷＦオーバーレイ及び前記第２補助記憶装置に対し該データを記憶させるとともに、前記起動設定情報に対して前記第２補助記憶装置を規定するデータ記憶手段と、
を有することを特徴とする情報処理装置。
【請求項２】
前記データ記憶手段により前記第２補助記憶装置に対し該データが記憶された後に当該情報処理装置が再起動される前、前記第１補助記憶装置に対して、ＥＷＦ機能による保護の無効化設定がされること、
を特徴とする請求項１記載の情報処理装置。
【請求項３】
前記データ記憶手段により前記第２補助記憶装置に対し該データが記憶された後に当該情報処理装置が再起動される前、前記第２補助記憶装置に対して、ＥＷＦ機能による保護の有効化設定がされること、
を特徴とする請求項１又は２記載の情報処理装置。
【請求項４】
ＥＷＦ機能を有し、ＥＷＦ機能の無効化及び有効化の設定時に再起動を要し、
ＥＷＦオーバーレイを含む主記憶装置と、
ＥＷＦ機能により保護され、ＯＳを含む各種データを記憶した第１補助記憶装置と、
前記各種データと同一の各種データを記憶した第２補助記憶装置とを有する情報処理装置に、
起動に使用するＯＳが含まれる補助記憶装置が規定された起動設定情報を有し、該起動設定情報に規定された補助記憶装置のＯＳを使用して当該情報処理装置を起動する起動手段と、
前記第１補助記憶装置のＯＳを使用して当該情報処理装置が起動されたとき、前記第１補助記憶装置に対しデータの記憶指示を受けると、前記ＥＷＦオーバーレイ及び前記第２補助記憶装置に対し該データを記憶させるとともに、前記起動設定情報に対して前記第２補助記憶装置を規定するデータ記憶手段として機能させるための情報処理プログラム。
【請求項５】
請求項１ないし３記載の情報処理装置を含み構成される組み込みシステム。
【発明の詳細な説明】
【技術分野】
【０００１】
本発明は、情報処理装置、情報処理プログラム及び組み込みシステムの分野に関する。
【背景技術】
【０００２】
情報処理装置のＯＳ（オペレーティングシステム）に対し、ＯＳやアプリケーションによるデータの変更や追加を行う場合、補助記憶装置（例えばＨＤＤ）のＯＳの格納領域に対して、データが直接書き込まれるので、データの変更や追加が頻繁であると、ＯＳの格納領域に様々なデータやアプリケーションのファイルが格納されることで、ＯＳの動作が遅くなったり、ＯＳのオリジナルデータが壊れてしまうことがある。
【０００３】
そこで近年、組み込みデバイス向けのＯＳであるＷｉｎｄｏｗｓ  ＸＰ（登録商標）  Ｅｍｂｅｄｄｅｄ（以下XP Embeddedという）が開発され、このＯＳには、Ｅｎｈａｎｃｅｄ  Ｗｒｉｔｅ  Ｆｉｌｔｅｒ（以下EWFという）と呼ばれるＯＳのデータを保護する機能が知られている。
【０００４】
組み込みデバイスなどの情報処理装置においてはハードウェア等の制約上、補助記憶装置（例えばＨＤＤ）への書き込みを禁止又は最小限に抑制する必要があるところ、このＥＷＦ機能によれば、ＯＳやアプリケーションによるデータの変更時に、その変更内容を補助記憶装置（例えばＨＤＤ）には直接書き込まず、主記憶装置（例えばＲＡＭ）上に作成された記憶領域にリダイレクトすることで、情報処理装置内のＯＳのオリジナルデータの変更を保護し、ＯＳのオリジナルデータを常にクリーンな状態に保つことができる。
【０００５】
これに関する技術として、特許文献１には、ＥＷＦが適用されたＯＳのオリジナルデータに新たなアプリケーションをインストールする目的で、再起動時にユーザによるアプリケーションの再インストールを不要とするシステムが開示されている。
【発明の概要】
【発明が解決しようとする課題】
【０００６】
しかしながら、ＥＷＦ機能を適用した組み込みデバイスなどの情報処理装置においても、ときに補助記憶装置のＯＳの格納領域に対して、データを書き込む必要のある場合がある。この場合、ユーザはまず適用されたＥＷＦを一旦解除（無効化）し、補助記憶装置内におけるデータの変更を行った後、再度ＥＷＦを適用（有効化）する。ここで、ＥＷＦの解除及び適用を行う際には、情報処理装置のＯＳを再起動する必要がある。従って、補助記憶装置内のデータに変更を加えると、ＥＷＦの解除時と適用時にそれぞれシステムの再起動が行われることになるので、ユーザの利便性が低下するという問題があった（再起動の間、待ち時間を要する等）。
【０００７】
そこで本発明では上記のような点に鑑みて、ＥＷＦ機能を用いてデータ保護を行いつつも、補助記憶装置内のデータに対して変更を行う際、情報処理装置の再起動回数を減らし、ユーザの利便性を向上させる情報処理装置、情報処理プログラム及び組み込みシステムを提供することを目的とする。
【課題を解決するための手段】
【０００８】
上記課題を解決するため、本発明に係る情報処理装置は、ＥＷＦ機能を有し、ＥＷＦ機能の無効化及び有効化の設定時に再起動を要する情報処理装置であって、ＥＷＦオーバーレイを含む主記憶装置と、ＥＷＦ機能により保護され、ＯＳを含む各種データを記憶した第１補助記憶装置と、前記各種データと同一の各種データを記憶した第２補助記憶装置と、起動に使用するＯＳが含まれる補助記憶装置が規定された起動設定情報を有し、該起動設定情報に規定された補助記憶装置のＯＳを使用して当該情報処理装置を起動する起動手段と、前記第１補助記憶装置のＯＳを使用して当該情報処理装置が起動されたとき、前記第１補助記憶装置に対しデータの記憶指示を受けると、前記ＥＷＦオーバーレイ及び前記第２補助記憶装置に対し該データを記憶させるとともに、前記起動設定情報に対して前記第２補助記憶装置を規定するデータ記憶手段とを有する。
【０００９】
また上記課題を解決するため、本発明に係る情報処理プログラムは、ＥＷＦ機能を有し、ＥＷＦ機能の無効化及び有効化の設定時に再起動を要し、ＥＷＦオーバーレイを含む主記憶装置と、ＥＷＦ機能により保護され、ＯＳを含む各種データを記憶した第１補助記憶装置と、前記各種データと同一の各種データを記憶した第２補助記憶装置とを有する情報処理装置に、起動に使用するＯＳが含まれる補助記憶装置が規定された起動設定情報を有し、該起動設定情報に規定された補助記憶装置のＯＳを使用して当該情報処理装置を起動する起動手段と、前記第１補助記憶装置のＯＳを使用して当該情報処理装置が起動されたとき、前記第１補助記憶装置に対しデータの記憶指示を受けると、前記ＥＷＦオーバーレイ及び前記第２補助記憶装置に対し該データを記憶させるとともに、前記起動設定情報に対して前記第２補助記憶装置を規定するデータ記憶手段として機能させる。
【００１０】
また上記課題を解決するため、本発明に係る組み込みシステムは、上記情報処理装置を含み構成される組み込みシステムである。
【００１１】
なお、本発明の構成要素、表現または構成要素の任意の組合せを、方法、装置、システム、コンピュータプログラム、記録媒体、などに適用したものも本発明の態様として有効である。
【発明の効果】
【００１２】
本発明によれば、ＥＷＦ機能を用いてデータ保護を行いつつも、補助記憶装置内のデータに対して変更を行う際、情報処理装置の再起動回数を減らし、ユーザの利便性を向上させる情報処理装置、情報処理プログラム及び組み込みシステムを提供することができる。
【図面の簡単な説明】
【００１３】
【図１】本実施形態に係る情報処理装置１の主要構成を示すハードウェア構成図である。
【図２】本実施形態に係る情報処理装置１の主要機能を示す機能ブロック図である
【図３】本実施形態に係る情報処理装置１の情報処理を説明するフローチャートである。
【図４】本実施形態に係る各記憶装置の状態遷移図である。
【発明を実施するための形態】
【００１４】
以下、本発明を実施するための形態を各実施形態において図面を用いて説明する。
【００１５】
[システム構成]
（ハードウェア）
本実施形態に係る情報処理装置１のハードウェア構成について説明する。図１は、本実施形態に係る情報処理装置１の主要構成を示すハードウェア構成図である。情報処理装置１は、主要な構成として、ＣＰＵ（Central Processing Unit）１１、ＲＯＭ（Read Only Memory）１２、ＲＡＭ（Random Access Memory）１３、ＨＤＤ（Hard Disk Drive）１４、記憶媒体読取装置１５、入力装置１６、表示装置１７、及び通信装置１８を含む構成である。
【００１６】
ＣＰＵ１１は、マイクロプロセッサ及びその周辺回路から構成され、装置全体を制御する回路である。また、ＲＯＭ１２は、ＣＰＵ１１で実行される所定の制御プログラム（ソフトウェア部品）を格納するメモリであり、ＲＡＭ１３は、主記憶装置としてＣＰＵ１１が各種プログラムを実行して各種の制御を行うときの作業エリア（ワーク領域）として使用する揮発性のメモリである。
【００１７】
ＨＤＤ１４は、ＯＳ（例えばＥＷＦ機能を有するXP Embedded）を含む各種情報を格納する補助記憶装置であり、不揮発性のメモリである。記憶媒体読取装置１５には、ＵＳＢメモリ、ＣＤ、ＤＶＤ等の携帯型メディアをセットすることで、外部からの情報を取得できる。
【００１８】
入力装置１６は、ユーザが各種入力操作を行うための装置である。入力装置１６は、マウス、キーボード、表示装置１７の表示画面上に重畳するように設けられたタッチパネルスイッチなどを含む。表示装置１７は、各種データを表示画面に表示する装置である。例えば、ＬＣＤ(Liquid Crystal Display)、ＣＲＴ(Cathode Ray Tube)などから構成される。
【００１９】
通信装置１８は、ネットワークを介して他の機器との通信を行う装置である。有線ネットワークや無線ネットワークなど含む各種ネットワーク形態に応じた通信をサポートする。
【００２０】
（機能）
図２は、本実施形態に係る情報処理装置１の主要機能を示す機能ブロック図である。図に示されるように情報処理装置１は、主要な機能として、補助記憶装置１１０、主記憶装置１２０、システムＢＩＯＳ１３０、起動部１４０、データ記憶部１５０を含む構成である。
【００２１】
補助記憶装置１１０は、上述のＨＤＤ１４により実現され、ＯＳやＯＳで利用するデータ、ユーザのデータを保存する記憶装置である。本実施形態においては、パーテーション等により仮想的に物理的に１の記憶装置を２つの記憶装置として構成する。つまり第１仮想記憶装置１１１と、第２仮想記憶装置１１２とを有する構成である（勿論物理的に２つの記憶装置を用いてもよい）。また本実施形態においては、第１仮想記憶装置１１１と、第２仮想記憶装置１１２とにおいては、同一のデータを記憶しているものとする。つまり第１仮想記憶装置１１１に、ＯＳやＯＳで利用するデータ、ユーザのデータが保存されているとするならば、第２仮想記憶装置１１２においても同一のＯＳやＯＳで利用するデータ、ユーザのデータが保存されている。
【００２２】
また図２において、情報処理装置１は、第１仮想記憶装置１１１のＯＳが起動されているものとし、またＥＷＦ機能が有効化設定されているので、第１仮想記憶装置１１１内の空き領域には、ＥＷＦボリュームが作成される。ＥＷＦボリュームは、ＥＷＦで保護されているボリュームの数、サイズ、ＥＷＦオーバーレイの情報など、ＥＷＦ構成情報を格納する場所である。
【００２３】
主記憶装置１２０は、上述のＲＡＭ１３により実現され、ＣＰＵ１１の作業エリアとして使用するメモリである。また本実施形態においてはＥＷＦ機能が有効化設定（例えばRAM Mode）されているので、ＥＷＦオーバーレイ（EWF領域）が確保される。ＥＷＦオーバーレイは、保護パーティション（例えば第１仮想記憶装置１１１）に対する書き込み情報や変更情報をリダイレクトし、書き込み情報や変更情報を記憶する場所である。
【００２４】
システムＢＩＯＳ１３０は、情報処理装置１の起動時に実行されるプログラムとして実現され、起動時、情報処理装置１内の各種デバイス（補助記憶装置、主記憶装置等）を認識する。
【００２５】
起動部１４０は、システムＢＩＯＳ１３０により起動され、ＯＳを読み込むことにより、情報処理装置１のシステムを起動させる。なお本実施形態に係る起動部１４０は、システムを起動させる際、起動設定情報１４１に基づいてどの補助記憶装置のＯＳでシステムを起動するかを決定する。起動設定情報１４１は、起動に使用するＯＳが含まれる補助記憶装置が規定されているもので、本実施形態においては第１補助記憶装置１１１又は第２補助記憶装置１１２の何れかが規定されている。そして上述の如く、ここでは第１仮想記憶装置１１１のＯＳが起動されているので、起動設定情報１４１において第１補助記憶装置１１１が規定されていることになる。つまり起動部１４０は、この起動設定情報１４１を参照し、第１補助記憶装置１１１のＯＳでシステムを起動したものである。
【００２６】
データ記憶部１５０は、起動に使用されたＯＳが含まれる補助記憶装置に対しデータの記憶指示を受けると、ＥＷＦオーバーレイ及び、起動に使用されていないＯＳが含まれる記憶装置に対し該データを記憶させる。より具体的に、ここでは第１仮想記憶装置１１１に対しデータの記憶指示を受けると、ＥＷＦオーバーレイ及び第２仮想記憶装置１１２に対し該データを記憶させる。またこのときデータ記憶部１５０は、起動設定情報１４１に対して、起動に使用する補助記憶装置として、現行の起動に使用されたＯＳが含まれる補助記憶装置（例えば第１仮想記憶装置１１１）に代え、起動に使用されていないＯＳが含まれる記憶装置（例えば第２仮想記憶装置１１２）を規定する（書き換える）。これにより再起動された際（次回起動時）、起動部１４０は、起動設定情報１４１を参照し、第２仮想記憶装置１１２のＯＳでシステムを起動することになる
なお、上記これらの機能部は、実際にはＣＰＵ１１が実行するプログラムにより実現される。
【００２７】
[情報処理]
本実施形態に係る情報処理装置１の情報処理について説明する。図３は、本実施形態に係る情報処理装置１の情報処理を説明するフローチャートである。また図４は、本実施形態に係る各記憶装置の状態遷移図である。なお図４において、Ｃドライブは第１仮想記憶装置１１１、Ｄドライブは第２仮想記憶装置１１２に対応する。また上述したように、本実施形態においては、Ｃドライブ、Ｄドライブの両ドライブには、ＯＳを含め同一のデータを記憶しているものとする。なおまた、ＯＳではＥＷＦ機能が標準で有効となっている。以下両図面を参照しながら説明する。
【００２８】
Ｓ１：ユーザは、情報処理装置１の電源を入れることにより、システムの起動を要求する。
【００２９】
Ｓ２：電源が投入されると、システムＢＩＯＳ１３０が起動され、システムＢＩＯＳ１３０は、利用可能なデバイスの認識を行う。これにより例えば、Ｃドライブ、Ｄドライブ、主記憶装置１２０等々が認識される。
【００３０】
Ｓ３：次に起動部１４０は、システムＢＩＯＳ１３０からのＯＳ起動命令を受け、そのためまず起動設定情報１４１を取得する。起動に使用するＯＳが含まれるドライブ（仮想記憶装置）を決定するためである。ここでは、起動設定情報１４１は、起動に使用するＯＳのドライブとして、Ｃドライブ（第１仮想記憶装置１１１）が規定されているものとする。
【００３１】
Ｓ４：起動部１４０は、起動設定情報１４１に従って、その起動設定情報１４１に規定されるドライブＣのＯＳを起動する。
【００３２】
Ｓ５：起動部１４０は、起動するＣドライブに対しＥＷＦ機能を有効化する。またこれに伴い、主記憶装置１２０の空き領域にＥＷＦオーバーレイ（EWF領域）が、Ｃドライブ内の空き領域にはＥＷＦボリュームが確保される。以上Ｓ１〜Ｓ５を踏まえ図４の（ａ）を参照する。図に示されるように、起動ドライブであるＣドライブのＯＳからシステムが起動されるとともに、ＣドライブはＥＷＦ機能による保護されている。
【００３３】
Ｓ６：次にデータ変更部１５０は、システム起動後、ＣドライブのＯＳやＯＳが使用するデータ等に対するデータ変更の有無を確認する。ここで例えば、ユーザ又はＯＳ自身により同ＯＳに対するパッチデータの適用が実行されたものとする。
【００３４】
Ｓ７：データ変更部１５０は、まず起動ドライブであるＣドライブはＥＷＦ機能により保護されているので、主記憶装置１２０のＥＷＦオーバーレイに対し、同パッチデータの書き込みを行う。これはＥＷＦの本来機能に基づくもので、ＯＳやアプリケーションによるデータの変更時に、その変更内容を保護されているＣドライブには直接書き込まず、主記憶装置１２０上に作成された記憶領域にリダイレクトすることで、情報処理装置内のＯＳのオリジナルデータの変更を保護するためである。以上Ｓ６〜Ｓ７を踏まえ図４の（ｂ）を参照する。図に示されるように、主記憶装置１２０のＥＷＦオーバーレイには同パッチデータが記憶されていることが分かる。
【００３５】
Ｓ８：次にデータ変更部１５０は、非起動ドライブであるＤドライブに対して同パッチデータを適用する。以上Ｓ８を踏まえ図４の（ｃ）を参照する。図に示されるように、Ｄドライブには同パッチデータが記憶されていることが分かる。
【００３６】
Ｓ９：データ変更部１５０は、起動設定情報１４１を更新する。起動設定情報１４１は、起動に使用する補助記憶装置が規定されているところ、具体的にこの時点においては起動ドライブであるＣドライブが規定されているが、データ変更部１５０はこれを非起動ドライブであるＤドライブへと書き換える。これにより次回起動時は、ＤドライブのＯＳからシステムが起動されることになる。
【００３７】
Ｓ１０：またデータ変更部１５０（又はデータ変更部１５０からの命令により起動部１４０）は、次回起動時、現行の起動ドライブであるＣドライブに対するＥＷＦ機能を解除する設定を行っておく。再起動後、ＥＷＦ機能によるＣドライブの保護を解除するためである。本実施形態に係るＯＳではＥＷＦ機能が標準で有効化されているが、これにより次回Ｃドライブが起動される際、ＥＷＦ機能は無効化されて起動するので、以後ＥＦＷ機能により保護されるＤドライブに対しデータの変更がなされる場合、同データをＥＷＦオーバーレイとともに、今度はＣドライブに対しても同データの書き込みを行えるようになる。また本実施形態に係るＯＳではＥＷＦ機能が標準で有効となっているものとしたが、そうでない場合には、現行の非起動ドライブであるＤドライブに対するＥＷＦ機能を有効化する設定を行っておく。再起動後、ＥＷＦ機能によりＤドライブを保護するためである。
【００３８】
続いて、情報処理装置１のシステムが再起動される。なお再起動はユーザの指示により明示的に再起動するか、またもしくはＳ１０の後にシステムが自動的に再起動するようにすることもできる。以下、再びフローチャートのＳ１から説明する。
【００３９】
再Ｓ１：ユーザは、情報処理装置１の電源を入れることにより、またもしくは上述の如くシステムが自動的に再起動することにより、システムの起動を要求する。
【００４０】
再Ｓ２：電源が投入されると、システムＢＩＯＳ１３０が起動され、システムＢＩＯＳ１３０は、利用可能なデバイスの認識を行う。これにより例えば、Ｃドライブ、Ｄドライブ、主記憶装置１２０等々が認識される。
【００４１】
再Ｓ３：次に起動部１４０は、システムＢＩＯＳ１３０からのＯＳ起動命令を受け、起動設定情報１４１を取得する。起動に使用するＯＳが含まれるドライブ（仮想記憶装置）を決定するためである。ここでは、上述のＳ９により、起動設定情報１４１では、起動に使用するＯＳのドライブとして、Ｄドライブ（第２仮想記憶装置１１２）が規定されている。
【００４２】
再Ｓ４：起動部１４０は、起動設定情報１４１に従って、その起動設定情報１４１に規定されるドライブＤのＯＳを起動する。
【００４３】
再Ｓ５：起動部１４０は、起動するＤドライブに対しＥＷＦ機能を有効化する（Ｓ１０参照）。またこれに伴い、主記憶装置１２０の空き領域にＥＷＦオーバーレイ（EWF領域）が、Ｄドライブ内の空き領域にはＥＷＦボリュームが確保される。以上再Ｓ１〜再Ｓ５を踏まえ図４の（ｄ）を参照する。図に示されるように、起動ドライブであるＤドライブのＯＳからシステムが起動されるとともに、ＤドライブはＥＷＦ機能による保護されている。またさらに、このＤドライブのＯＳに対してはパッチデータが適用されているので、このＯＳはパッチデータ適用済みのＯＳである。なお、主記憶装置１２０は例えばＲＡＭ１３等により実現される揮発性メモリであるので、主記憶装置１２０はＥＷＦオーバーレイのパッチデータは再起動により削除される。
【００４４】
[総括]
ＥＷＦ機能を適用した組み込みデバイスなどの情報処理装置においても、ときに補助記憶装置（例えばＨＤＤ）のＯＳの格納領域に対して、データを書き込む必要のある場合があるが、従来、ユーザはまず適用されたＥＷＦを一旦解除（無効化）し、システムを再起動する。起動後、補助記憶装置内におけるデータの変更を行った後、再度ＥＷＦを適用（有効化）する必要があるので、再度システムを再起動する。
【００４５】
一方、本実施形態に係る情報処理装置１においては、上述の如く１回の再起動により、ＥＷＦ機能により保護される補助記憶装置のＯＳの格納領域に対して、データを書き込むことが可能となっている。即ち、本実施形態に係る情報処理装置１によれば、ＥＷＦ機能を用いてデータ保護を行いつつも、補助記憶装置内のデータに対して変更を行う際、情報処理装置の再起動回数を減らし、ユーザの利便性を向上させることが可能となる。
【００４６】
なお、本発明は係る特定の実施形態に限定されるものではなく、特許請求の範囲に記載された本発明の要旨の範囲内において、種々の変形・変更が可能である。例えば、本実施形態に係る情報処理装置１は、特に組み込み製品に対し有効なＥＷＦ機能を有するので、組み込みデバイス、組み込みシステム等に組み込むことも可能である。
【符号の説明】
【００４７】
１        情報処理装置
１１        ＣＰＵ
１２        ＲＯＭ
１３        ＲＡＭ
１４        補助記憶装置
１５        記憶媒体読取装置
１６        入力装置
１７        表示装置
１８        通信装置
１１０    補助記憶装置
１１１    第１仮想記憶装置
１１２    第２仮想記憶装置
１２０    主記憶装置
１３０    システムＢＩＯＳ
１４０    起動部
１４１    起動設定情報
１５０    データ記憶部
【先行技術文献】
【特許文献】
【００４８】
【特許文献１】特開２０１１−０８６２４７号
【図１】
2013105338.tif 000003
【図２】
2013105338.tif 000004
【図３】
2013105338.tif 000005
【図４】
2013105338.tif 000006